(57)【要約】  たとえば椅子のクッション、寝具あるいは交換テーブルの保護のための使い捨てアンダーレイは、保護を必要とする物体と反対側に面するよう意図された液体受けカバーシートと、使用時に保護を必要とする物体に面するように意図された液体非透過性背面シートとを具備してなり、当該アンダーレイは使用者に対して取り付けることができるようになっている。
2009519094.tif 000002
【特許請求の範囲】
【請求項１】
使い捨て用のアンダーレイ(１)であって、
長手方向対称軸線(１１)と、
第１の長手方向縁部(２)および第２の長手方向縁部(３)と、
第１の横方向縁部(４)および第２の横方向縁部(５)と、を具備してなり、
前記アンダーレイ(１)は、使用者の身体排出物から、たとえば椅子のクッション、寝具あるいは交換テーブルのような保護を必要とする物体を保護するためのものであり、かつ、
前記アンダーレイ(１)は、
前記使用者に面するように意図された液体受けカバーシート(６)と、
前記使用者と反対側に面するよう意図された実質的に液体非透過性の背面シート(７)と、を具備してなり、
前記アンダーレイは、このアンダーレイ(１)を使用者に対して取り付けるための手段を具備してなることを特徴とするアンダーレイ(１)。
【請求項２】
前記使用者に対して前記アンダーレイ(１)を取り付けるための前記手段は、使用時に前記使用者に対して前記アンダーレイ(１)を取り付けるためのベルト(９)を具備してなることを特徴とする請求項１に記載のアンダーレイ(１)。
【請求項３】
前記アンダーレイ(１)は第１の低強度部(２５)を具備してなり、前記アンダーレイ(１)が前記低強度部(２５)において切り離されたときに前記アンダーレイ(１)から突出する第１の幅狭片が形成され、これによって前記片は自由端部(２６)を有し、かつ前記片は前記使用者に対して前記アンダーレイ(１)を取り付けるためのベルト(９)を形成するようになっていることを特徴とする請求項１または請求項２に記載のアンダーレイ(１)。
【請求項４】
前記低強度部(２５)はミシン目(８)からなることを特徴とする請求項３に記載のアンダーレイ(１)。
【請求項５】
前記アンダーレイ(１)は成人使用者用のものであり、前記ミシン目(８)は、６０〜１５０ｃｍの、好ましくは８０〜１３０ｃｍの、より好ましくは９０〜１２５ｃｍの長さを有することを特徴とする請求項４に記載のアンダーレイ(１)。
【請求項６】
前記アンダーレイ(１)は幼児用のものであり、前記ミシン目(８)は、３０〜６０ｃｍの、好ましくは４０〜５０ｃｍの、より好ましくは４０〜４５ｃｍの長さを有することを特徴とする請求項４に記載のアンダーレイ(１)。
【請求項７】
前記アンダーレイ(１)はベルト(９)を形成する第１の別体幅狭片を具備してなり、前記ベルト(９)は、前記液体受けカバーシート(６)に対して、または前記実質的に液体非透過性の背面シート(７)に対して、恒久的に結合された第１の端部領域を具備してなり、かつ前記ベルト(９)は自由端部(２６)を具備してなることを特徴とする請求項１または請求項２に記載のアンダーレイ(１)。
【請求項８】
前記アンダーレイ(１)は成人使用者用のものであり、前記ベルト(９)は、６０〜１５０ｃｍの、好ましくは８０〜１３０ｃｍの、より好ましくは９０〜１２５ｃｍの長さを有することを特徴とする請求項７に記載のアンダーレイ(１)。
【請求項９】
前記アンダーレイ(１)は幼児用のものであり、前記ベルト(９)は、３０〜５０ｃｍの、好ましくは４０〜５０ｃｍの、より好ましくは４０〜４５ｃｍの長さを有することを特徴とする請求項７に記載のアンダーレイ(１)。
【請求項１０】
前記ベルト(９)は、使用前には、前記対称軸線(１１)に対して実質的に直交するように延在していることを特徴とする請求項２ないし請求項９のいずれか１項に記載のアンダーレイ(１)。
【請求項１１】
前記ベルト(９)は、使用前には、前記対称軸線(１１)に対して実質的に平行に延在していることを特徴とする請求項２ないし請求項９のいずれか１項に記載のアンダーレイ(１)。
【請求項１２】
前記ベルト(９)の前記自由端部(２６)は、前記アンダーレイ(１)が前記使用者に対して取り付けられたとき、前記液体受けカバーシート(６)に対して、あるいは前記実質的に液体非透過性背面シート(７)に対して張り付くよう意図された、少なくとも一つの粘着面(１０)を具備してなることを特徴とする請求項２ないし請求項１１のいずれか１項に記載のアンダーレイ(１)。
【請求項１３】
前記アンダーレイ(１)の前記液体受けカバーシート(６)あるいは前記実質的に液体非透過性背面シート(７)は、前記ベルトの前記自由端部(２６)に配設された前記粘着面(１０)と協働する少なくとも一つの面を具備してなることを特徴とする請求項１２に記載のアンダーレイ(１)。
【請求項１４】
前記ベルト(９)の前記自由端部(２６)は少なくとも一つの面ファスナー(１２)を具備してなり、かつ、前記アンダーレイ(１)の前記液体受けカバーシート(６)あるいは前記液体非透過性背面シート(７)は、前記アンダーレイ(１)が前記使用者に対して取り付けられたとき、前記面ファスナー(１２)と協働するよう構成された少なくとも一つの受け面(１３)を具備してなることを特徴とする請求項２ないし請求項１１のいずれか１項に記載のアンダーレイ(１)。
【請求項１５】
前記ベルト(９)は、前記アンダーレイ(１)から突出する第１のベルト半体(１４)と、前記アンダーレイ(１)から突出する第２のベルト半体(１５)と、を具備してなり、前記ベルト半体(１４,１５)は自由端部(２６)を有し、かつ前記ベルト半体(１４,１５)は、前記アンダーレイ(１)が前記使用者に対して取り付けられたとき、互いに締結されるようになっていることを特徴とする請求項２ないし請求項１１のいずれか１項に記載のアンダーレイ(１)。
【請求項１６】
前記アンダーレイ(１)は成人使用者用のものであり、各ベルト半体(１４,１５)は、４０〜７５ｃｍの、好ましくは５０〜７０ｃｍの、より好ましくは５０〜６０ｃｍの長さを有することを特徴とする請求項１５に記載のアンダーレイ(１)。
【請求項１７】
前記アンダーレイ(１)は幼児用のものであり、各ベルト半体(１４,１５)は、２０〜４０ｃｍの、好ましくは２０〜３５ｃｍの、より好ましくは２５〜３０ｃｍの長さを有することを特徴とする請求項１５に記載のアンダーレイ(１)。
【請求項１８】
前記アンダーレイ(１)は第２の低強度部(２５)を具備してなり、前記アンダーレイ(１)が前記第２の低強度部(２５)において切り離されたときに前記アンダーレイ(１)から突出する第２の幅狭片が形成されるようになっており、前記第２の片は自由端部(２６)を有し、かつ前記第２の片は第２のベルト半体(１５)を形成すると共に前記第１の片は第１のベルト半体(１４)を形成し、前記ベルト半体(１４,１５)は、前記使用者に対して前記アンダーレイ(１)が取り付けられたとき、互いに締結されるようになっていることを特徴とする請求項３、請求項４、請求項５、請求項６、請求項１０、請求項１１、請求項１５、請求項１６および請求項１７のいずれか１項に記載のアンダーレイ(１)。
【請求項１９】
前記第２の低強度部(２５)はミシン目(８)からなることを特徴とする請求項１８に記載のアンダーレイ(１)。
【請求項２０】
前記アンダーレイ(１)は第２のベルト半体(１５)を形成する第２の別体幅狭材料片を具備してなり、前記第２のベルト半体(１５)は、前記液体受けカバーシート(６)に対して、または前記実質的に液体非透過性の背面シート(７)に対して、恒久的に結合された第１の端部領域を具備してなり、かつ前記第２のベルト半体(１５)は自由端部(２６)を具備してなり、かつ前記第１の別体幅狭材料片は第１のベルト半体(１４)を形成し、前記ベルト半体(１４,１５)は、前記使用者に対して前記アンダーレイ(１)が取り付けられたとき、互いに締結されるようになっていることを特徴とする請求項７、請求項１０、請求項１１、請求項１５、請求項１６および請求項１７のいずれか１項に記載のアンダーレイ(１)。
【請求項２１】
前記ベルト半体(１４,１５)は、使用前には、アンダーレイ(１)の前記対称軸線(１１)に対して実質的に直交するよう延在していることを特徴とする請求項１５ないし請求項２０のいずれか１項に記載のアンダーレイ(１)。
【請求項２２】
前記第１のベルト半体(１４)の前記自由端部(２６)は、前記第２のベルト半体(１５)に対して張り付くよう意図された少なくとも一つの粘着面(１０)を具備してなることを特徴とする請求項１５ないし請求項２１のいずれか１項に記載のアンダーレイ(１)。
【請求項２３】
前記第２のベルト半体(１５)は、前記粘着面(１０)と協働するよう構成された少なくとも一つの面を具備してなることを特徴とする請求項２２に記載のアンダーレイ(１)。
【請求項２４】
前記第１のベルト半体(１４)の前記自由端部(２６)は、前記第２のベルト半体(１５)に対して張り付くよう意図された少なくとも一つの面ファスナー(１２)を具備してなることを特徴とする請求項１５ないし請求項２１のいずれか１項に記載のアンダーレイ(１)。
【請求項２５】
前記第２のベルト半体(１５)の前記自由端部(２６)は、前記面ファスナー(１２)と協働するよう構成された少なくとも一つの面を具備してなることを特徴とする請求項２４に記載のアンダーレイ(１)。
【請求項２６】
前記ベルト(９)は、前記アンダーレイ(１)が前記使用者に取り付けられたとき、前記アンダーレイ(１)の前記横方向縁部のいずれかに関連付けて配置されていることを特徴とする請求項２ないし請求項２５のいずれか１項に記載のアンダーレイ(１)。
【請求項２７】
前記ベルト(９)は、前記アンダーレイ(１)が前記使用者に取り付けられたとき、前記アンダーレイ(１)の長さ方向における実質的中央に配置されていることを特徴とする請求項２ないし請求項２５のいずれか１項に記載のアンダーレイ(１)。
【請求項２８】
前記アンダーレイ(１)は、マットレスの少なくとも一部を保護するためのものであることを特徴とする請求項１ないし請求項２７のいずれか１項に記載のアンダーレイ(１)。
【請求項２９】
前記アンダーレイ(１)は、幼児用おむつを交換する際に、交換テーブルを保護するためのものであることを特徴とする請求項１ないし請求項２７のいずれか１項に記載のアンダーレイ(１)。
【請求項３０】
前記アンダーレイ(１)は、たとえば車椅子の椅子シートを保護するためのものであることを特徴とする請求項１ないし請求項２７のいずれか１項に記載のアンダーレイ(１)。
【請求項３１】
前記アンダーレイ(１)は成人使用者用のものであり、前記ベルト(９)は、２〜１５ｃｍの、好ましくは４〜１０ｃｍの、さらに好ましくは５〜８ｃｍの幅を有することを特徴とする請求項２ないし請求項５、請求項７、請求項８、請求項１０ないし請求項１５、請求項１８、請求項２８および請求項３０のいずれか１項に記載のアンダーレイ(１)。
【請求項３２】
前記アンダーレイ(１)は幼児用アンダーレイ(１)として用いられるものであり、前記ベルト(９)は、２〜１５ｃｍの、好ましくは３〜１０ｃｍの、さらに好ましくは５〜６ｃｍの幅を有することを特徴とする請求項２ないし請求項４、請求項６、請求項７、請求項９ないし請求項１５、請求項１７ないし請求項３０のいずれか１項に記載のアンダーレイ(１)。
【請求項３３】
前記使用者に対して前記アンダーレイ(１)を取り付けるための前記手段は、互いに距離をおいて配置された少なくとも二つの受け面(１３)を具備してなり、一方の受け面(１３)は幅狭ベルトの一端領域に取り外し可能に取り付けられるようになっており、かつ他の前記受け面(１３)は前記ベルトの対向する端部領域に取り外し可能に取り付けられるようになっていることを特徴とする請求項１に記載のアンダーレイ(１)。
【請求項３４】
前記受け面(１３)は、前記アンダーレイ(１)の長手方向対称軸線(１１)を中心として対称的に配置されていることを特徴とする請求項３３に記載のアンダーレイ(１)。
【請求項３５】
前記使用者に対して前記アンダーレイ(１)を取り付けるための前記手段は受け面(１３)を具備してなり、前記受け面(１３)は、幅狭ベルトの中央部に対して、取り外し可能に取り付けられるようになっていることを特徴とする請求項１に記載のアンダーレイ(１)。
【請求項３６】
前記使用者に対して前記アンダーレイ(１)を取り付けるための前記手段は、実質的に前記アンダーレイ(１)の長手方向対称軸線(１１)上に配置され受け面(１３)を具備してなり、前記受け面(１３)は、幅狭ベルトの中央部に対して、取り外し可能に取り付けられるようになっていることを特徴とする請求項３５に記載のアンダーレイ(１)。
【請求項３７】
前記受け面(１３)は、粘着面に対して、取り外し可能に取り付けられるようになっていることを特徴とする請求項３３ないし請求項３５のいずれか１項に記載のアンダーレイ。
【請求項３８】
前記受け面(１３)は、面ファスナーの表面に対して、取り外し可能に取り付けられるようになっていることを特徴とする請求項３３ないし請求項３５のいずれか１項に記載のアンダーレイ。
【発明の詳細な説明】
【技術分野】
【０００１】
本発明は、長手方向対称軸線と、第１の長手方向縁部および第２の長手方向縁部と、第１の横方向縁部および第２の横方向縁部とを具備してなる使い捨て用のアンダーレイに関する。当該アンダーレイは、使用者の身体排出物から、たとえば椅子のクッション、寝具あるいは交換テーブルのような保護を必要とする物体を保護するためのものである。当該アンダーレイは、使用者に面するように意図された液体受けカバーシートと、使用者とは反対側に面するよう意図された実質的に液体非透過性の背面シートとを具備してなる。
【背景技術】
【０００２】
椅子あるいはベッド保護具のような、さまざまなタイプの使い捨て式のアンダーレイが、尿および／またはふん便がベッドの寝具およびマットレスならびに椅子の着座面に浸み込み、それを汚損するのを阻止するために、病院およびその他の介護施設および在宅看護において使用されている。幼児のおむつを交換するとき、たとえば交換テーブルすなわちその上でおむつが交換される表面を保護するためにアンダーレイを使用するのも珍しいことではない。アンダーレイの一例が特許文献１に開示されている。
【０００３】
保護を必要とするさまざまな物体の保護のためのアンダーレイの使用に関連する一つの問題は、アンダーレイが、その意図した場所に留まらず、使用者からの尿あるいはふん便による汚損から保護を必要とする物体を保護しないというものである。この問題は、使用者が、たとえば交換テーブル上の幼児あるいは病院のベッドの中の落ち着きのない失禁症成人のように非常に活動的である場合に、特に顕著なものとなる。
【特許文献１】欧州特許第0,218,568号明細書
【発明の開示】
【発明が解決しようとする課題】
【０００４】
それゆえ、アンダーレイの使用時に、使用者および保護を必要とする物体に関して不適切な場所に移動することのないアンダーレイが求められていた。
【課題を解決するための手段】
【０００５】
本発明は、冒頭で説明したタイプのアンダーレイを提供するものであり、このものは、以前から知られていた用品に関連する問題を実質的に解消する。
【０００６】
本発明に基づくアンダーレイは、主として、使用者に対してそれを取り付けるための手段を具備してなることを特徴とする。
【０００７】
アンダーレイを使用者に対して効果的な方式で取り付けることによって、アンダーレイは使用者の動きに追従し、これによってアンダーレイは、常に、身体排出物がアンダーレイの表面上に達するよう適切な位置に置かれる。
【０００８】
ある実施形態によれば、アンダーレイを使用者に対して取り付けるための手段は、使用時に使用者に対してアンダーレイを取り付けるよう構成されたベルトを具備してなる。
【０００９】
第２実施形態によれば、アンダーレイは第１の低強度部を具備してなり、アンダーレイが低強度部において切り離されたときにアンダーレイから突出する第１の幅狭片が形成される。これによって片は自由端部を有し、片は使用者に対してアンダーレイを取り付けるためのベルトを形成するようになっている。
【００１０】
ある実施形態によれば、低強度部はミシン目からなる。
【００１１】
ある実施形態によれば、アンダーレイは成人使用者用のものであり、ミシン目は、６０〜１５０ｃｍの、好ましくは８０〜１３０ｃｍの、より好ましくは９０〜１２５ｃｍの長さを有する。アンダーレイは、ミシン目の全てが切り離されたときに形成できる最大長さのベルトが、最も横幅の大きな使用者においてさえ足りるように構成される必要がある。
【００１２】
ある実施形態によれば、アンダーレイは幼児用のものであり、ミシン目は、３０〜５０ｃｍの、好ましくは４０〜５０ｃｍの、より好ましくは４０〜４５ｃｍの長さを有する。
【００１３】
ある実施形態によれば、アンダーレイはベルトを形成する第１の別体幅狭片を具備してなる。ベルトは、液体受けカバーシートに対して、または実質的に液体非透過性の背面シートに対して、恒久的に結合された第１の端部領域を具備してなる。ベルトはさらに自由端部を具備してなる。アンダーレイの製造時に別個のベルトをアンダーレイに対して付加するのは原理的に比較的簡単であり、そして同一の装置において、従来型のアンダーレイと当該実施形態に基づくベルトを具備してなるアンダーレイの両方を製造することさえ考えられる。
【００１４】
ある実施形態は、アンダーレイが成人使用者用のものであり、ベルトが、６０〜１５０ｃｍの、好ましくは８０〜１３０ｃｍの、より好ましくは９０〜１２５ｃｍの長さを有することを特徴とする。
【００１５】
ある実施形態は、幼児用のアンダーレイに関し、ベルトは、３０〜５０ｃｍの、好ましくは４０〜５０ｃｍの、より好ましくは４０〜４５ｃｍの長さを有する。
【００１６】
他の実施形態は、ベルトが、使用前には、対称軸線に対して実質的に直交するように延在することを特徴とし、かつ、他の実施形態によれば、ベルトは、使用前には、対称軸線に対して実質的に平行に延在する。
【００１７】
ある実施形態によれば、ベルトの自由端部は、アンダーレイが使用者に対して取り付けられたとき、液体受けカバーシートに対して、あるいは実質的に液体非透過性背面シートに張り付くよう意図された少なくとも一つの粘着面を具備してなる。アンダーレイの液体受けカバーシートあるいは背面シートに対する、ベルトの自由端部の粘着力による取り付けは、使用者の周りにベルトを取り付けるための非常に安価な手法である。
【００１８】
ある実施形態によれば、アンダーレイの液体受けカバーシートあるいは実質的に液体非透過性背面シートは、ベルトの自由端部に配設された粘着面と協働する少なくとも一つの面を具備してなる。ベルトの粘着面と協働するよう意図された面は、アンダーレイが処分され、そして結合が解かれる際の、たとえば開離力のような特性に関して、よりよく適合させることができる。
【００１９】
ある実施形態は、ベルトの自由端部が少なくとも一つの面ファスナーを具備し、かつ、アンダーレイの液体受けカバーシートあるいは実質的に液体非透過性背面シートが、アンダーレイが使用者に対して取り付けられたとき、面ファスナーと協働するよう構成された少なくとも一つの受け面を具備してなることを特徴とする。使用者の周囲での面ファスナーによるベルトの固定は有利であるが、これは、面ファスナーによる固定は、湿気あるいはスキンクリームの影響を受けにくいからである。
【００２０】
ある実施形態は、ベルトが、アンダーレイから突出する第１のベルト半体と、アンダーレイから突出する第２のベルト半体とを具備してなることを特徴とする。ベルト半体はいずれも自由端部を有し、かつベルト半体は、使用時に、互いに締結される(取り付けられる)べく意図されている。二つのベルト半体を具備してなるベルトは、使用者に対するアンダーレイの取り付け時に、使用者の周りに簡単に止着できる。
【００２１】
ある実施形態によれば、アンダーレイは成人使用者用のものであり、各ベルト半体は、４０〜７５ｃｍの、好ましくは５０〜７０ｃｍの、より好ましくは５０〜６０ｃｍの長さを有する。
【００２２】
別の実施形態は幼児用のアンダーレイに関し、各ベルト半体は、２０〜４０ｃｍの、好ましくは２０〜３５ｃｍの、より好ましくは２５〜３０ｃｍの長さを有する。
【００２３】
ある実施形態によれば、アンダーレイは第２の低強度部を具備してなり、アンダーレイが第２の低強度部において切り離されたときにアンダーレイから突出する第２の幅狭片が形成されるようになっている。第２の片は自由端部を有し、この第２の片は第２のベルト半体を形成すると共に第１の片は第１のベルト半体を形成する。ベルト半体は、使用者に対してアンダーレイが取り付けられたとき、互いに締結される(取り付けられる)べく意図されている。
【００２４】
ある実施形態は、第２の低強度部がミシン目からなることを特徴とする。
【００２５】
本発明に基づくアンダーレイは第２のベルト半体を形成する第２の別体幅狭材料片を具備してなる。第２のベルト半体は、液体受けカバーシートに対して、または実質的に液体非透過性の背面シートに対して、恒久的に結合された第１の端部領域と、自由端部とを具備してなる。第１の別体幅狭材料片は第１のベルト半体を形成し、ベルト半体は、使用者に対してアンダーレイが取り付けられたとき、互いに締結される(取り付けられる)べく意図されている。
【００２６】
ある実施形態は、ベルト半体が、使用前には、対称軸線に対して実質的に直交するように延在していることを特徴とする。
【００２７】
ある実施形態によれば、第１のベルト半体の自由端部は、第２のベルト半体に対して張り付くよう意図された少なくとも一つの粘着面を具備してなり、かつ、別な実施形態によれば、第２のベルト半体は、粘着面と協働するよう構成された少なくとも一つの面を具備してなる。
【００２８】
他の実施形態によれば、第１のベルト半体の自由端部は、第２のベルト半体に対して張り付くよう意図された少なくとも一つの面ファスナーを具備してなり、しかもある実施形態によれば、第２のベルト半体の自由端部は、面ファスナーと協働するよう構成された少なくとも一つの面を具備してなる。
【００２９】
ある実施形態は、ベルトは、アンダーレイが使用者に取り付けられたとき、アンダーレイの横方向縁部のいずれかに関連付けて配置されることを特徴とし、しかも別な実施形態では、ベルトは、アンダーレイが使用者に取り付けられたとき、アンダーレイの長さ方向における実質的中央に配置される。
【００３０】
ある実施形態においては、アンダーレイは、マットレスの少なくとも一部を保護するためのものである。アンダーレイの最も一般的な利用分野の一つは、高齢の(たいていは失禁症の)患者が居住する介護病室での、ベッド、マットレスおよび寝具の保護である。
【００３１】
ある実施形態に基づくアンダーレイは、幼児用おむつを交換する際に、交換テーブルを保護するためのものであり、しかも他の実施形態によれば、アンダーレイは、たとえば車椅子の椅子シートを保護するためのものである。
【００３２】
ある実施形態によれば、アンダーレイは成人使用者用のものであり、ベルトは、２〜１５ｃｍの、好ましくは４〜１０ｃｍの、さらに好ましくは５〜８ｃｍの幅を有する。
【００３３】
アンダーレイのある実施形態は幼児のためのアンダーレイであり、ベルトは、２〜１５ｃｍの、好ましくは３〜１０ｃｍの、さらに好ましくは５〜６ｃｍの幅を有する。
【００３４】
ある実施形態によれば、使用者に対してアンダーレイを取り付けるための手段は、互いに距離をおいて配置された少なくとも二つの受け面を具備してなる。一方の受け面は幅狭ベルトの一端領域に取り外し可能に取り付けられるようになっており、かつ他の受け面はベルトの対向する端部領域に取り外し可能に取り付けられるようになっている。この実施形態は、分離したベルトがアンダーレイと共に使用されることを意味し、この場合、ベルトは使用者の両側でアンダーレイに対して取り付けられる。ベルトがアンダーレイに対して取り外し可能に取り付けられるので、それは、以後の多数のアンダーレイのために何度でも使用できる。
【００３５】
受け面は、ある実施形態によれば、アンダーレイの長手方向対称軸線を中心として対称的に配置される。
【００３６】
ある実施形態は、使用者に対してアンダーレイを取り付けるための手段は受け面を具備してなり、受け面は幅狭ベルトの中央部に対して取り外し可能に取り付けられるようになっていることを特徴とする。この実施形態は、ベルトがアンダーレイに対して取り外し可能に取り付けられる場合に、その一端部領域はベルト半体を構成し、かつ他端部領域は反対側のベルト半体を構成することを意味する。当該ベルトはまた、それがアンダーレイに対して取り外し可能に取り付けられるので、複数のアンダーレイのために使用できる。
【００３７】
ある実施形態によれば、使用者に対してアンダーレイを取り付けるための手段は、実質的にアンダーレイの長手方向対称軸線上に配置され受け面を具備してなり、受け面は幅狭ベルトの中央部に対して取り外し可能に取り付けられることになる。
【００３８】
ある実施形態は、受け面が粘着面に対して取り外し可能に取り付けられるようになっていることを特徴とし、しかも他の実施形態は、受け面が面ファスナーの表面に対して取り外し可能に取り付けられるようになっていることを特徴とする。
【発明を実施するための最良の形態】
【００３９】
本発明は使い捨て式のアンダーレイ１に関する。
【００４０】
上述したタイプのアンダーレイ１は、施設ケア、ホームケアおよびまだ排泄をコントロールできない幼児のケアに関して、数多くのさまざまな用途を持つ。アンダーレイ１は、主として、寝具またはマットレスを保護するために、失禁症患者のケアに使用されるが、椅子のクッション、車椅子などの保護にもまた頻繁に用いられる。交換台(その上で幼児のおむつが交換される)は、さまざまなタイプのアンダーレイ１によって普通に保護される表面のさらなる例である。
【００４１】
図１には、本発明によるアンダーレイ１の主要なコンポーネントを示す。アンダーレイ１は、主として、幼児のおむつを交換する際に交換テーブルの保護のために用いられる。
【００４２】
アンダーレイ１は実質的に矩形状であり、しかも二つの長手方向縁部２,３と二つの横方向縁部４,５とを有する。
【００４３】
アンダーレイ１は、その表面上に配置された液体受けカバーシート６を具備してなるが、これは使用時には使用者の方に面することになる。アンダーレイは特別な吸収体を備えていないので、液体受けカバーシート６は、液体受け特性およびある程度の液体吸収特性の両方を有するコンビネーションシートである。本実施形態に基づく液体受けカバーシート６は、目的に適した、いかなる材料からでも構成できる。一般に使用される液体受けカバーシートの例は、不織繊維材料、織物材料、液体受けフォームシートなどである。アンダーレイ全体にわたって延在する連続した細い繊維からなる液体受けカバーシートを使用することもできる。表面の異なる領域に異なる材料を具備してなるカバーを使用可能であるのと同様、二つ以上の上記使用可能なカバー材料を具備してなるラミネートもまた使用可能である。ある程度の吸収能力を保証するために、液体受けカバーシート６は吸収素材を具備してなる。好適な素材の例はコットン繊維、レーヨン繊維などである。吸収性受けシートにセルロース繊維をある程度混合することもまた考えられえる。別個の吸収体を使用せずに構成されたアンダーレイ１は、主として、大量の吸収を予期していない状況において用いられるものである。
【００４４】
上記実施形態に基づくアンダーレイ１はまた、その表面上に配置された背面シート７を具備してなるが、これは使用時にはアンダーレイによって保護される物体に面することになる。アンダーレイ１の一般的な背面シート７は液体非透過性のものとなりがちであるが、他のタイプの背面シートもまた使用可能である。背面シート７はさまざまな異なる素材から構成できる。背面シート７を薄い液体非透過性プラスチックフィルムから形成するのが最も一般的であるが、たとえばプラスチック被覆、液体非透過性フォーム層、液体非透過性接着剤などによって液体が透過しないようになされた不織布材などのような、他の種類の液体非透過性素材を使用することも可能である。背面シート７はまた、液体非透過性の、水蒸気透過性材料から形成できるが、こうすることでアンダーレイ１にはある程度の通気性が付与され、これによってアンダーレイは、より快適に使用できるようになる。
【００４５】
代替実施形態においては、背面シート７はラミネートから形成されてもよい。そうしたラミネートは、通常、液体バリアとして機能する液体非透過性材料と、保護を必要とする物体の方に向けられるアンダーレイ１の面に配置された、より織物に似た材料とを具備してなる。そうした背面シートを有するアンダーレイは、たとえば滑らかなプラスチック製背面を備えたアンダーレイに比べて、保護される物体との、より大きな摩擦をもたらし、これによって、使用時にアンダーレイが適所からずれる可能性が低減される。ラミネートの織物状の層は、通常、不織布シートから形成されるが、もちろん、他の織物素材から形成することもできる。
【００４６】
アンダーレイ１が、アンダーレイ(保護を必要とする物体)に対して滑らずに適所に確実に留まるようにするために、アンダーレイ１はまた、保護されるべき物体に面するよう意図されたアンダーレイの面の適切な部分に配された粘着面および／または高摩擦面を備える。
【００４７】
液体受けカバーシート６および背面シート７は、カバーシートの全面にわたって互いに取り付けられているが、代替実施形態においては、それらは互いに断続的に取り付けられてもよい。
【００４８】
液体受けカバーシート６および背面シート７は、数多くのさまざまな手法で互いに取り付けることができる。取り付け法の例は、接着、ホットメルティングあるいは超音波溶着である。
【００４９】
アンダーレイ１は、主として、それが、その長手方向対称軸線１１に対して実質的に直交するように延在するミシン目８の形態の低強度部２５を有することを特徴とするが、これによってミシン目が利用されるとき、すなわちアンダーレイ１がミシン目８において切り離されるときに、幅狭片が形成されるようになっている。この幅狭片は、アンダーレイ１の使用時に使用者を取り囲むためのベルト９を形成する。本発明をより分かりやすくするため、図１においてミシン目８は短い長さに沿って切り離されている。
【００５０】
ミシン目８は、アンダーレイ１の横方向縁部４と実質的に平行に、長手方向対称線１１に向かってアンダーレイ１の長手方向縁部２から延在している。ミシン目８は、それがアンダーレイ１の長手方向対称線１１に達する前に終わっており、ミシン目８の長さは。全てのミシン目が切り離されたときに形成されるベルト９の最大長さを確定している。その長さの一部に沿って、ただミシン目８を切り離すことによって、より短いベルト９を形成することを選択することもできる。ミシン目８は、長手方向縁部２から、３０〜５０ｃｍ、好ましくは４０〜５０ｃｍ、さらに好ましくは４０〜４５ｃｍだけ延在する。
【００５１】
ベルト９の幅は２〜１５ｃｍ、好ましくは３〜１０ｃｍ、さらに好ましくは３〜６ｃｍである。
【００５２】
ベルト９は、アンダーレイ１の使用時に幼児に面するよう意図されたベルト９の面に配置された粘着面１０を具備してなり、この粘着面１０はベルト９の自由端部２６に配置されている。ベルト９は、幼児の胴と交差して延在するよう意図されており、その後、粘着面１０がアンダーレイ１の液体受けカバーシート６または背面シート７に対して貼り付けられるよう意図されている。
【００５３】
代替実施形態においては、粘着面１０は、アンダーレイ１の使用時に子供と反対側に面するよう意図されたベルト９の面に配置できる。
【００５４】
アンダーレイ１の液体受けカバーシート６または背面シート７に、粘着面用の特別な受け面を配することもまた可能である。この受け面は、特に粘着面１０と協働するよう意図された材料片から形成される。この材料片として好適な材料はプラスチックフィルムなどである。
【００５５】
粘着面１０は、通常、使用前には、剥離可能な保護層によって保護される。よく使用される保護層は、剥離剤によって処理された紙シートからなる。受け面あるいは保護層を図１には示していない。
【００５６】
アンダーレイ１は、ミシン目８を切り離すことなく、まさに、すなわちベルトを持たない従来公知のアンダーレイのように使用できる。アンダーレイ１を幼児に対して取り付けたい場合には、ミシン目８を切り離し、ベルト９を用いて子供を取り囲む。最後に、ベルト９の自由端部２６がアンダーレイ１に対して取り付けられる。
【００５７】
図２は図１のアンダーレイ１と同じような状態とされたアンダーレイ１を示すが、ミシン目８の形態の低強度部はアンダーレイ１の長手方向縁部３に沿って延在する。ミシン目８が切り離されたときに形成されるベルト９は、アンダーレイ１の長手方向対称線１１と平行に延在し、それは使用時には長手方向対称線１１に対して折り曲げられることになる。
【００５８】
図２のベルト９は、ベルト９の自由端部２６に関連して配置された、雄型面ファスナー１２、いわゆるフック面を具備してなる。面ファスナー１２と協働するよう意図された受け面１３は、ベルト９の逆側の長手方向縁部２において、アンダーレイ１に配置されている。受け面１３は雌型面ファスナー、いわゆるループ材から構成されている。受け面１３はアンダーレイ１の液体受けカバーシート６上に配置されているが、背面シート７上に配置することもできる。
【００５９】
代替実施形態においては、雌型面ファスナーをベルト９の自由端部２６に配置し、かつ雄型面ファスナーをベルト９と逆側の長手方向縁部において、アンダーレイ１に配置することも可能である。アンダーレイ１の液体受けカバーシート６または背面シート７が、それ自体、面ファスナー１２と協働可能な素材からなる実施形態も考えられ、この場合、面ファスナー１２用の特別な受け面は不要である。
【００６０】
図２ｂには、ミシン目８の形態の低強度部を備えたアンダーレイ１の実施形態を示すが、低強度部８は、アンダーレイ１の長手方向縁部３に沿って、かつ長手方向対称線１１に向かってアンダーレイの横方向縁部４に沿って延在している。低強度部８が長手方向縁部３および横方向縁部４の両方に沿って延在することを可能とすることによって、低強度部８がその全長に沿って切り離されたとき、実質的により大きなベルト長が得られる。ベルト９の最大長さ、すなわち低強度部がその全延長範囲に沿って切り離されたときにベルト９が得る長さは、６０〜１５０ｃｍ、好ましくは８０〜１３０ｃｍ、そしてさらに好ましくは９０〜１２５ｃｍである。本実施形態に基づくアンダーレイ１は、特に、成人使用者用のベッド、椅子のクッションなどのためのアンダーレイとして好適である。
【００６１】
図２ｂのベルト９はまた、ベルト９の自由端部２６に関連して雄型面ファスナー１２を具備してなる。面ファスナー１２と協働するよう意図された雌型受け面１３がさらに、ベルト９の逆側の長手方向縁部２においてアンダーレイ１に配置されている。
【００６２】
図３には、第１のベルト半体１４および第２のベルト半体１５を具備してなるベルト９を備えたアンダーレイ１の実施形態を示している。このアンダーレイは、液体受けカバーシート６および背面シート７に関して、図１および図２のアンダーレイ１と同じ構造を有する。
【００６３】
第１のベルト半体１４はミシン目１６が切り離されるときに形成され、かつ第２のベルト半体１５はミシン目１７が切り離されるときに形成される。アンダーレイ１に使用時、ベルト半体１４,１５は適切な方式で互いに連結される。たとえば、ベルト１４,１５で使用者を取り囲んだ後に、ただそれを互いに結び付けることで、ベルト半体１４,１５を互いに連結することが考えられる。
【００６４】
あるいは、ベルト１４,１５の自由端部２６の一方は、向かい合うベルト半体１４,１５上の、ある目的のために設計された受け面と協働するよう意図された粘着面または面ファスナーを具備してなる。上記実施形態に関して説明したのと同じタイプの面ファスナー、粘着面および受け面もまた、もちろん、当該実施形態にとって好適であり、この場合、面ファスナーあるいは粘着面は、その自由端部２６に関してベルト半体１４,１５の一方に配置される。受け面は、これに関して、アンダーレイ１の液体受けカバーシート６または背面シート７に配置される代わりに、その自由端部２６に関連してベルト半体１４,１５の他方に配置される。
【００６５】
他の実施形態においては、粘着面または面ファスナーを受けるよう意図されたベルト半体１４,１５の全体を、粘着面または面ファスナーを受けるための特殊な特性を有するものとすることも考えられ、これによってサイズの異なる使用者のための調整が可能となる。
【００６６】
粘着面および面ファスナーを受けるためのベルト半体１４,１５が、粘着面あるいは面ファスナーを受けるための多数の離散領域を有する構成も考えられ、これら離散領域はベルト半体１４,１５の長さ(延長範囲)に沿って配置される。当然ながら、これに加えてあるいはこれに代えて、粘着面または面ファスナーを具備してなるベルト半体１４,１５は、その長さ(延長範囲)に沿って位置決めされた、多数の離散的に配置された粘着面または面ファスナーを備えていてもよく、これによって使用者のサイズに関する調整が可能となる。
【００６７】
図４には、第１のベルト半体１４と第２のベルト半体１５とを具備してなるベルト９を備えたアンダーレイ１の実施形態を示す。このアンダーレイは、液体受けカバーシート６および背面シート７に関して、図１、図２および図３のアンダーレイと同じ構造を有する。アンダーレイ１は、その長手方向縁部２,３と平行なミシン目１６,１７を有し、第１のベルト半体１４はミシン目１６を切り離すことによって得られ、かつ第２のベルト半体１５はミシン目１７を切り離すことによって得られる。
【００６８】
ミシン目１６,１７はアンダーレイ１の長手方向縁部２,３の一部に沿ってのみ延在しており、ミシン目１６,１７は、ベルト半体１４,１５の各自由端部２６においてアンダーレイの長手方向縁部に向かって曲がっており、そしてポイント１８,１９においてアンダーレイ１の長手方向縁部２,３で終わっている。ポイント１８,１９はアンダーレイ１の横方向縁部４から適当な距離だけ離れて配置されており、これによって、各ベルト半体は、使用者の胴を取り囲むのに適した長さとなっている。
【００６９】
第１のベルト半体１４は、少なくともその自由端部２６に関連して配置された、雄型面ファスナー１２、すなわちいわゆるフック面を具備してなり、そしてこれによって、面ファスナー１２は、液体受けカバーシート６からなるアンダーレイの面に配置されている。
【００７０】
面ファスナー１２と協働するよう意図された受け面１３は、第２のベルト半体１５の自由端部２６に配置されており、そしてこれによって受け面１３はアンダーレイ１の背面シート７に配置されている。受け面１３は、雌型面ファスナー、いわゆる「ループ材」から形成される。
【００７１】
ミシン目１６,１７が切り離されたときに形成されるベルト半体１４,１５は、アンダーレイ１の長手方向対称線と平行に延在し、各ベルト半体１４,１５は、使用時に対称線１１に向かって曲げられ、そして使用者の周囲で互いに結合されるよう意図されている。
【００７２】
別な実施形態においては、二つのベルト半体１４,１５を互いに連結するための粘着面の使用も考えられる。粘着面と協働するよう意図された特別な受け面もまた使用可能である。使用者の胴の周りで両者を一つに結び付けることによって、ベルト半体１４,１５を互いに連結することも考えられる。
【００７３】
図５には、第１のベルト半体１４および第２のベルト半体１５を具備してなるベルト９を備えたアンダーレイ１の実施形態が示されている。
【００７４】
このアンダーレイは、液体受けカバーシート６および背面シート７に関して、図１、図２、図３および図４のアンダーレイと同じ構造を有する。
【００７５】
ベルト半体１４,１５は、アンダーレイ１の長手方向に関して実質的に中央に配置されており、そしてベルト半体１４,１５は、長手方向対称線１１に対して直交するよう延在している。
【００７６】
アンダーレイ１は、ミシン目１６,１７,２０,２１の形態の低強度部を有し、ミシン目１６,１７は第１のベルト半体１４の両長手方向縁部に沿って延在し、かつミシン目２０,２１は第２のベルト半体１５の両長手方向縁部に沿って延在している。第１のベルト半体１４はミシン目１６,１７が切り離されたときに形成され、かつ第２のベルト半体１５はミシン目２０,２１が切り離されたときに形成される。
【００７７】
上記ベルト半体は使用者の胴の周りで互いに連結されることになるが、その取り付けは接着式取り付け具、面ファスナーなどによって行える。両者を一つに結び付けることでベルト半体１４,１５を互いに連結することも可能である。
【００７８】
各ベルト半体１４,１５は、その全長に沿って一定の幅を有するが、代替実施形態においては、その長さに沿って、さまざまな幅を有し得る。たとえば、各ベルト半体１４,１５をその自由端部２６において最も幅広とし、かつその固定端部に向かって幅を狭くすることが好ましい。そうした実施形態は、各自由端部に、たとえば使用時に両ベルト半体１４,１５を互いに粘着接合するための、より大きな接合面を配置することが可能であることを意味する。
【００７９】
二つのベルト半体１４,１５間の距離Ｗは、アンダーレイ１の所期の用途に依存する。幼児のおむつを交換する際に交換テーブルを保護することを目的としたアンダーレイ１に関しては、ベルト半体１４,１５間の距離Ｗは１２〜３０ｃｍであることが好適であり、好ましくは１５〜２５ｃｍであり、より好ましくは１５〜２０ｃｍである。
【００８０】
失禁症成人使用者のための、すなわちベッド保護具、椅子保護具などのためのアンダーレイ１に関しては、ベルト半体１４,１５間の距離Ｗは２５〜８０ｃｍであることが好適であり、好ましくは３０〜６０ｃｍであり、より好ましくは３０〜４５ｃｍである。
【００８１】
ベルト半体の長さはまた、アンダーレイ１の使用形態に依存する。幼児のおむつを交換する際に交換テーブルを保護することを目的としたアンダーレイ１に関しては、各ベルト半体１４,１５の長さは２０〜４０ｃｍであることが好適であり、好ましくは２０〜３５ｃｍであり、より好ましくは２５〜３０ｃｍである。失禁症成人使用者のためのアンダーレイ１に関しては、ベルト半体１４,１５の長さは４０〜７５ｃｍであることが好適であり、好ましくは５０〜７０ｃｍであり、より好ましくは５０〜６０ｃｍである。
【００８２】
図６には、別体のベルト９を具備してなるアンダーレイ１の実施形態を示す。図６に示す実施形態に基づくアンダーレイは、その構造に関して、それが別個の吸収体２２を備える点で上記アンダーレイと異なっている。アンダーレイ１は実質的に矩形状であり、かつ二つの長手方向縁部２,３と、二つの横方向縁部４,５とを有する。
【００８３】
先に説明した実施形態と同様、アンダーレイ１は、着用時に使用者荷面するよう意図されたアンダーレイ１の面上に配された液体受けカバーシート６を具備してなる。アンダーレイ１はまた、使用時にアンダーレイが保護することになる物体に面するよう意図されたアンダーレイ１の面上に配された背面シート７を有する。
【００８４】
アンダーレイ１の基本構造は、上記アンダーレイとは、主として、それが液体受けカバーシート６と背面シート７との間に封入された吸収体２２を具備してなる点で異なり、それは、大量の液体の吸収が予期される用途のために使用される。
【００８５】
アンダーレイ１が別個の吸収体２２を具備してなるので、液体受けカバーシート６の主要な機能の一つは液体の透過を可能とすることであり、したがって液体受けカバーシート６の吸収性は重要ではないか、あるいはほとんど重要ではない。
【００８６】
液体受けカバーシートに関してよく見られる素材の例は、上述したものと同じ種類の素材である。だが、吸収素材によって、液体受けカバーシート６に吸収性を付与する必要はない。当該実施形態に基づくアンダーレイ１に関して、液体受けカバーシート６をプラスチックネットあるいは穿孔プラスチックフィルムから形成することも考えられるが、これらは全く吸収性を持たない。
【００８７】
特に高い強度および耐摩耗性を有する吸収体２２を具備してなるアンダーレイ１は、使用時に使用者に面するアンダーレイ１の側に、余分な液体受けカバーシートを必要とすることなく機能し得る。
【００８８】
アンダーレイ１の液体受けカバーシート６および背面シート７は、吸収体２２の全周に沿って吸収体２２の外側に延在しており、そしてカバーシート６および背面シート７は、吸収体２２の全周に沿って、吸収体２２の外側で互いに張り合われている。カバーシート６および背面シート７は、数多くのさまざまな方法で互いに張り合わせることができる。張り合わせる手法の例は、接着、ホットメルティング、超音波溶着などである。
【００８９】
アンダーレイ１はさらに、液体受けカバーシート６に対して恒久的に取り付けられた別体のベルト９を具備してなる。恒久的な取り付け部２３は、接着、ホットメルティング、超音波溶着などによって形成できる。あるいは、ベルト９をアンダーレイ１の背面シート７に対して恒久的に取り付けることも考えられる。
【００９０】
ベルト９はアンダーレイ１の長手方向対称線１１と実質的に直角をなす。
【００９１】
代替実施形態においては、ベルト９は長手方向対称線１１とその他の角度をなしていてもよい。
【００９２】
ベルト９は別個の材料片から形成されるので、ベルト９の長さはアンダーレイ１の寸法とは関係なく選択できる。幼児のおむつを交換する際の交換テーブルの保護のためのアンダーレイ１に関しては、ベルト９の長さは３０〜５０ｃｍ、好ましくは４０〜５０ｃｍ、そしてより好ましくは４０〜４５ｃｍである。幼児用のアンダーレイ１に関して、ベルト９の幅は２〜１５ｃｍ、好ましくは３〜１０ｃｍ、さらに好ましくは５〜６ｃｍである。
【００９３】
失禁症成人使用者用のアンダーレイ１に関して、ベルト９の長さは６０〜１５０ｃｍが好適であり、好ましくは８０〜１３０ｃｍであり、そしてより好ましくは９０〜１２５ｃｍである。アンダーレイ１が成人使用者用のものである場合、ベルト９の幅は２〜１５センチメートル、好ましくは４〜１０センチメートル、さらに好ましくは５〜８センチメートルである。
【００９４】
ベルト９は、好ましくは、支持材料および軟質不織布材料を具備してなるラミネートから形成される。支持材料は、使用時に使用者とは反対の側に面するよう意図されたベルトの側に配置され、そして軟質不織布材料は、ベルトの反対側、すなわち使用者に当接する側に配置される。好適な不織布材料は、ポリプロピレン繊維および／またはポリエチレン繊維を具備してなるスパンボンド不織布であってもよい。
【００９５】
あるいは、毛羽立てられた、サーマルボンド不織布を使用することもできるが、これはまたポリプロピレン繊維および／またはポリエチレン繊維からなっていてもよい。プラスチック材料あるいは適当な不織布材料を支持材料として使用できる。
【００９６】
代替実施形態においては、ベルトが弾力性を有していてもよい。
【００９７】
ベルト９の自由端部２６は雄型面ファスナー１２を有し、この面ファスナー１２は、使用時に使用者に面するよう意図されたベルト９の側に配置されている。
【００９８】
(好ましくは閉じたループを具備してなる材料からなる)雌型の特殊な受け面１３が、アンダーレイ１の液体受けカバーシート６に配置されている。この受け面１３は、ベルト９が、アンダーレイ１の上に載るかあるいは座る使用者を取り囲むときに、ベルト９の面ファスナー１２に対して取り付けることができるよう、アンダーレイ１に配置される。面ファスナー１２と受け面１３との間の取り付けは開離および再閉着可能なものであり、この結果、使用者がたとえば自身の着座または横臥位置を変えるときに、ベルトの位置を動かすことができる。当然ながら、使用者の周囲でベルト９を面ファスナーによって固定する代わりに、上述したような粘着式留め具を利用することも考えられる。
【００９９】
受け面１３をアンダーレイ１の背面シート７上に配置することも考えられる。
【０１００】
図６ｂには、二つの長手方向縁部２,３と二つの横方向縁部４,５とを有する実質的に矩形状のアンダーレイ１を示す。
【０１０１】
当該アンダーレイ１は、その面上に配置された液体受けカバーシート６(これは装着時に使用者に面することになる)および背面シート７を具備してなる。
【０１０２】
このアンダーレイは、ベルト９(図６ｂにも示す)がアンダーレイ１に取り付け可能であることを特徴とする。ベルト９はアンダーレイ１に取り外し可能に接合でき、したがって同一のベルトを何度も使用可能である。
【０１０３】
アンダーレイ１は少なくとも二つの受け面１３を具備してなり、この受け面１３はアンダーレイ１の長手方向対称線１１の両側に対称に配置されている。
【０１０４】
受け面１３は、アンダーレイの一端部領域２８において、液体受けカバーシート６に配置されている。
【０１０５】
代替実施形態においては、受け面１３をアンダーレイ１の背面シート７に配置することも可能である。アンダーレイ１の長手方向対称線１１からさまざまな距離をおいて配置された複数の受け面１３を備えたアンダーレイ１を提供することも考えられ、これによってベルト９をさまざまな大きさの使用者に対して調節可能となる。別な代替実施形態に置いては、受け面１３を、アンダーレイ１の長手方向においてアンダーレイ１のより中央に配置することが考えられる。
【０１０６】
受け面１３は、好ましくは、雌型の面ファスナーから、すなわちループを具備してなる材料からなる面から形成される。代替実施形態においては、フックを具備してなる雄型の受け面１３もまた考えられる。別の代替実施形態においては、液体受けカバーシート６は、それが雄型面ファスナー要の受け材として機能するよう配置され、これらはアンダーレイ１の所望のポジションにおいてアンダーレイ１に対して固定可能である。
【０１０７】
着脱式ベルト９は、アンダーレイに配置された面ファスナーと協働するよう特別に構成された面ファスナーを具備してなり、ベルト９の少なくとも両端がそうした面ファスナーを備える。
【０１０８】
アンダーレイ１の使用時、アンダーレイ１は使用者の下に配置され、その後、ベルト９が使用者の両サイドに取り付けられる。
【０１０９】
図７には、第１のベルト半体１４と第２のベルト半体１５とを具備してなる別体ベルト９を備えたアンダーレイ１の実施形態が示されている。
【０１１０】
先に図６に関連して説明したアンダーレイと同様、当該アンダーレイは、液体受けカバーシート６と背面シート７との間に封入された吸収体２２を具備してなる。
【０１１１】
各ベルト半体１４,１５は別体の幅狭材料片を具備してなり、各ベルト半体１４,１５はアンダーレイ１の液体受けカバーシート６に対して恒久的に取り付けられる。取り付け部２３は、先に図６に関連して説明したように、ベルト９用の対応する取り付け部２３と同じ様式で配置できる。
【０１１２】
代替実施形態においては、各ベルト半体１４,１５をアンダーレイ１の背面シート７に対して取り付けることもできる。
【０１１３】
別の代替実施形態においては、ベルト９を幅狭材料片から形成することもできる。材料片の中央セクションはアンダーレイ１の液体受けカバーシート６に対して取り付けられ、そしてこれによって、材料片の一方の端部セクションは第１のベルト半体１４を形成すると共に、その他方の端部セクションは第２のベルト半体１５を形成する。
【０１１４】
第１のベルト半体１４は、その自由端部２６に、粘着面１０を具備してなる。第２のベルト半体１５は、粘着面１０と協働するよう意図された特別な受け面２４を具備してなる。受け面２４は、ベルト１５が使用者を取り巻いたときに使用者とは反対の側に面する第２のベルト半体１５の側において、この第２のベルト半体１５に設けられている。このように受け面２４を配することによって、使用時にベルトをねじる必要がなくなり、ベルト９は快適な様式で使用者に対して配される。
【０１１５】
あるいは、使用者のウエストをベルト半体１４,１５によって取り巻いた後に、単にそれらを互いに結ぶことで、このベルト半体１４,１５を互いに止着することも考えられる。
【０１１６】
ベルト９を面ファスナーを用いて使用者の周囲で接続することもまた可能であり、この場合、雄型面ファスナーを張り付けることができる材料を、使用時に外側を向くベルトの面に設けることが好ましい。
【０１１７】
ベルト半体１４,１５の一方にボタン孔を設け、かつベルト半体１４,１５の他方にボタンを設けることもまた、使用者の周りでベルトを止着するために実施可能な代替構造である。
【０１１８】
本実施形態に基づくアンダーレイ１の製造時、二つのベルト半体１４,１５は、液体受けカバーシート６に対してＺ形に折り込まれ、そしてそれらは続いて、二つの折り曲げポジション２５に対して結合された、容易に破壊される接着取り付け部によって、このＺ形状で固定される。図７の第２のベルト半体１５は、このＺ形の折り込みを開いている状態でのベルト半体を示しており、ここで、容易に破壊される接着結合は破壊されたばかりの状態である。あるいは、使用前に、より簡単な手法でベルト半体１４,１５を扱うために、別の折り込み方法を考えることもできる。
【０１１９】
図７ｂには、液体受けカバーシート６と背面シート７との間に封入された吸収体２２を具備してなるアンダーレイ１の実施形態を示す。
【０１２０】
アンダーレイ１は、横方向縁部４と平行に延在する幅狭受け面１３を有する。受け面１３は、アンダーレイ１の長手方向中心線に関して中央に置かれ、しかも取り外し可能なベルト９に対して取り外し可能に取り付けられるようになっている。受け面１３はベルト９の中央セクションに対して取り付けられるようになっており、ベルト９と共にアンダーレイ１を使用するとき、ベルト９の一端セクションは第１のベルト半体１４を形成し、かつ別な端部セクションはベルト９の第２のベルト半体１５を形成する。受け面１３は、(好ましくは雌型の)面ファスナーから形成される。別の実施形態では、フックを具備してなる雄型の受け面１３を使用することも可能である。
【０１２１】
代替実施形態においては、液体受けカバーシート６は、それが雄型面ファスナー用の受け材料として機能するよう形成され、それゆえ特別な受け面を必要としない。
【０１２２】
取り外し可能なベルト９の中央セクションは、アンダーレイ１に配置された受け面１３と協働するよう特別に設計された面ファスナーを具備してなる。
【０１２３】
別の代替実施形態においては、アンダーレイ１は粘着面の取り付けに特に適した受け面１３を具備してなることができ、この場合、ベルト９の中央セクションは粘着面を具備してなる。
【０１２４】
ベルト９と共にアンダーレイ１を使用する場合、ベルト９をアンダーレイに対して取り付け、その後、アンダーレイ１を保護される物体の上に配置することが好ましい。アンダーレイ１は、その後、恒久的に固定されたベルト９を有するアンダーレイ１と同じようにして使用される。これに代えて、第１の段階でベルト９を使用者に取り付け、その後、アンダーレイ１をベルト９に対して取り付けることも可能である。
【０１２５】
第１のベルト半体１４はその自由端部２６に粘着面１０を具備してなり、かつ、第２のベルト半体１５は、この粘着面１０と協働するよう意図された特別な受け面２４を具備してなり、それゆえ、アンダーレイ１を使用者に取り付けるとき、粘着面１０および受け面２４は互いに張り付く。
【０１２６】
あるいは、ベルト半体１４,１５は、使用者へのベルトの取り付けのためのフック・ループ(hook and loop)要素を具備してなることができる。
【０１２７】
代替実施形態においては、各ベルト半体１４,１５を別個の幅狭材料片から構成することも考えられ、この場合、各ベルト半体１４,１５は、使用時に、アンダーレイ１に対して取り外し可能に接合される。そうした実施形態に関して、アンダーレイ１は、その長手方向対称線に関して中央に配置された二つの受け面を有することが好ましい。
【０１２８】
本発明はまた、上記実施形態のあらゆる考えられ得る組み合わせを含む。
【０１２９】
さらに、本発明はここまで列挙してきた実施形態に限定されるものではなく、当然ながら、特許請求の範囲の記載に包含される、その他の実施形態にも適用可能である。
【図面の簡単な説明】
【０１３０】
【図１】本発明の第１実施形態によるアンダーレイを、保護されるべき物体と反対の側に面するよう意図された側から見て示す図である。
【図２】本発明の第２実施形態によるアンダーレイを、保護されるべき物体と反対の側に面するよう意図された側から見て示す図である。
【図２ｂ】本発明の第３実施形態によるアンダーレイを、保護されるべき物体と反対の側に面するよう意図された側から見て示す図である。
【図３】本発明の第４実施形態によるアンダーレイを、保護されるべき物体と反対の側に面するよう意図された側から見て示す図である。
【図４】本発明の第５実施形態によるアンダーレイを、保護されるべき物体と反対の側に面するよう意図された側から見て示す図である。
【図５】本発明の第６実施形態によるアンダーレイを、保護されるべき物体と反対の側に面するよう意図された側から見て示す図である。
【図６】本発明の第７実施形態によるアンダーレイを、保護されるべき物体と反対の側に面するよう意図された側から見て示す図である。
【図６ｂ】本発明の第８実施形態によるアンダーレイを、保護されるべき物体と反対の側に面するよう意図された側から見て示す図である。
【図７】本発明の第９実施形態によるアンダーレイを、保護されるべき物体と反対の側に面するよう意図された側から見て示す図である。
【図７ｂ】本発明の第１０実施形態によるアンダーレイを、保護されるべき物体と反対の側に面するよう意図された側から見て示す図である。
【符号の説明】
【０１３１】
１  アンダーレイ
２,３  長手方向縁部
４,５  横方向縁部
６  液体受けカバーシート
７  背面シート
８  ミシン目
９  ベルト
１０  粘着面
１１  長手方向対称軸線
１２  面ファスナー
１３  受け面
１４  第１のベルト半体
１５  第２のベルト半体
１６,１７  ミシン目
１８,１９  ポイント
２０,２１  ミシン目
２２  吸収体
２３  取り付け部
２４  受け面
２５  低強度部
２６  自由端部
２８  アンダーレイの一端部領域
【図１】
2009519094.tif 000003
【図２ａ】
2009519094.tif 000004
【図２ｂ】
2009519094.tif 000005
【図３】
2009519094.tif 000006
【図４】
2009519094.tif 000007
【図５】
2009519094.tif 000008
【図６】
2009519094.tif 000009
【図６ｂ】
2009519094.tif 000010
【図７】
2009519094.tif 000011
【図７ｂ】
2009519094.tif 000012
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
使用者の身体排出物から、たとえば椅子のクッション、寝具あるいは交換テーブルのような保護を必要とする物体を保護するための使い捨て用のアンダーレイ(１)の利用法であって、
前記アンダーレイは、
長手方向対称軸線(１１)と、
第１の長手方向縁部(２)および第２の長手方向縁部(３)と、
第１の横方向縁部(４)および第２の横方向縁部(５)と、を具備してなり、
前記アンダーレイ(１)は、
前記使用者に面するように意図された液体受けカバーシート(６)と、
前記使用者と反対側に面するよう意図された実質的に液体非透過性の背面シート(７)と、を具備してなり、
前記アンダーレイが前記使用者の動きに追従するよう前記使用者に対して前記アンダーレイを取り付けるために前記アンダーレイに配設された手段(９)を使用することを特徴とする利用法。
【請求項２】
前記使用者に対して前記アンダーレイ(１)を取り付けるための前記手段は、使用時に前記使用者に対して前記アンダーレイ(１)を取り付けるためのベルト(９)を具備してなることを特徴とする請求項１に記載の利用法。
【請求項３】
前記アンダーレイ(１)は第１の低強度部(２５)を具備してなり、前記アンダーレイ(１)が前記低強度部(２５)において切り離されたときに前記アンダーレイ(１)から突出する第１の幅狭片が形成され、これによって前記片は自由端部(２６)を有し、かつ前記片は前記使用者に対して前記アンダーレイ(１)を取り付けるためのベルト(９)を形成するようになっていることを特徴とする請求項１または請求項２に記載の利用法。
【請求項４】
前記低強度部(２５)はミシン目(８)からなることを特徴とする請求項３に記載の利用法。
【請求項５】
前記アンダーレイ(１)は成人使用者用のものであり、前記ミシン目(８)は、６０〜１５０ｃｍの、好ましくは８０〜１３０ｃｍの、より好ましくは９０〜１２５ｃｍの長さを有することを特徴とする請求項４に記載の利用法。
【請求項６】
前記アンダーレイ(１)は幼児用のものであり、前記ミシン目(８)は、３０〜６０ｃｍの、好ましくは４０〜５０ｃｍの、より好ましくは４０〜４５ｃｍの長さを有することを特徴とする請求項４に記載の利用法。
【請求項７】
前記アンダーレイ(１)はベルト(９)を形成する第１の別体幅狭片を具備してなり、前記ベルト(９)は、前記液体受けカバーシート(６)に対して、または前記実質的に液体非透過性の背面シート(７)に対して、恒久的に結合された第１の端部領域を具備してなり、かつ前記ベルト(９)は自由端部(２６)を具備してなることを特徴とする請求項１または請求項２に記載の利用法。
【請求項８】
前記アンダーレイ(１)は成人使用者用のものであり、前記ベルト(９)は、６０〜１５０ｃｍの、好ましくは８０〜１３０ｃｍの、より好ましくは９０〜１２５ｃｍの長さを有することを特徴とする請求項７に記載の利用法。
【請求項９】
前記アンダーレイ(１)は幼児用のものであり、前記ベルト(９)は、３０〜５０ｃｍの、好ましくは４０〜５０ｃｍの、より好ましくは４０〜４５ｃｍの長さを有することを特徴とする請求項７に記載の利用法。
【請求項１０】
前記ベルト(９)は、使用前には、前記対称軸線(１１)に対して実質的に直交するように延在していることを特徴とする請求項２ないし請求項９のいずれか１項に記載の利用法。
【請求項１１】
前記ベルト(９)は、使用前には、前記対称軸線(１１)に対して実質的に平行に延在していることを特徴とする請求項２ないし請求項９のいずれか１項に記載の利用法。
【請求項１２】
前記ベルト(９)の前記自由端部(２６)は、前記アンダーレイ(１)が前記使用者に対して取り付けられたとき、前記液体受けカバーシート(６)に対して、あるいは前記実質的に液体非透過性背面シート(７)に対して張り付くよう意図された、少なくとも一つの粘着面(１０)を具備してなることを特徴とする請求項２ないし請求項１１のいずれか１項に記載の利用法。
【請求項１３】
前記アンダーレイ(１)の前記液体受けカバーシート(６)あるいは前記実質的に液体非透過性背面シート(７)は、前記ベルトの前記自由端部(２６)に配設された前記粘着面(１０)と協働する少なくとも一つの面を具備してなることを特徴とする請求項１２に記載の利用法。
【請求項１４】
前記ベルト(９)の前記自由端部(２６)は少なくとも一つの面ファスナー(１２)を具備してなり、かつ、前記アンダーレイ(１)の前記液体受けカバーシート(６)あるいは前記液体非透過性背面シート(７)は、前記アンダーレイ(１)が前記使用者に対して取り付けられたとき、前記面ファスナー(１２)と協働するよう構成された少なくとも一つの受け面(１３)を具備してなることを特徴とする請求項２ないし請求項１１のいずれか１項に記載の利用法。
【請求項１５】
前記ベルト(９)は、前記アンダーレイ(１)から突出する第１のベルト半体(１４)と、前記アンダーレイ(１)から突出する第２のベルト半体(１５)と、を具備してなり、前記ベルト半体(１４,１５)は自由端部(２６)を有し、かつ前記ベルト半体(１４,１５)は、前記アンダーレイ(１)が前記使用者に対して取り付けられたとき、互いに締結されるようになっていることを特徴とする請求項２ないし請求項１１のいずれか１項に記載の利用法。
【請求項１６】
前記アンダーレイ(１)は成人使用者用のものであり、各ベルト半体(１４,１５)は、４０〜７５ｃｍの、好ましくは５０〜７０ｃｍの、より好ましくは５０〜６０ｃｍの長さを有することを特徴とする請求項１５に記載の利用法。
【請求項１７】
前記アンダーレイ(１)は幼児用のものであり、各ベルト半体(１４,１５)は、２０〜４０ｃｍの、好ましくは２０〜３５ｃｍの、より好ましくは２５〜３０ｃｍの長さを有することを特徴とする請求項１５に記載の利用法。
【請求項１８】
前記アンダーレイ(１)は第２の低強度部(２５)を具備してなり、前記アンダーレイ(１)が前記第２の低強度部(２５)において切り離されたときに前記アンダーレイ(１)から突出する第２の幅狭片が形成されるようになっており、前記第２の片は自由端部(２６)を有し、かつ前記第２の片は第２のベルト半体(１５)を形成すると共に前記第１の片は第１のベルト半体(１４)を形成し、前記ベルト半体(１４,１５)は、前記使用者に対して前記アンダーレイ(１)が取り付けられたとき、互いに締結されるようになっていることを特徴とする請求項３、請求項４、請求項５、請求項６、請求項１０、請求項１１、請求項１５、請求項１６および請求項１７のいずれか１項に記載の利用法。
【請求項１９】
前記第２の低強度部(２５)はミシン目(８)からなることを特徴とする請求項１８に記載の利用法。
【請求項２０】
前記アンダーレイ(１)は第２のベルト半体(１５)を形成する第２の別体幅狭材料片を具備してなり、前記第２のベルト半体(１５)は、前記液体受けカバーシート(６)に対して、または前記実質的に液体非透過性の背面シート(７)に対して、恒久的に結合された第１の端部領域を具備してなり、かつ前記第２のベルト半体(１５)は自由端部(２６)を具備してなり、かつ前記第１の別体幅狭材料片は第１のベルト半体(１４)を形成し、前記ベルト半体(１４,１５)は、前記使用者に対して前記アンダーレイ(１)が取り付けられたとき、互いに締結されるようになっていることを特徴とする請求項７、請求項１０、請求項１１、請求項１５、請求項１６および請求項１７のいずれか１項に記載の利用法。
【請求項２１】
前記ベルト半体(１４,１５)は、使用前には、アンダーレイ(１)の前記対称軸線(１１)に対して実質的に直交するよう延在していることを特徴とする請求項１５ないし請求項２０のいずれか１項に記載の利用法。
【請求項２２】
前記第１のベルト半体(１４)の前記自由端部(２６)は、前記第２のベルト半体(１５)に対して張り付くよう意図された少なくとも一つの粘着面(１０)を具備してなることを特徴とする請求項１５ないし請求項２１のいずれか１項に記載の利用法。
【請求項２３】
前記第２のベルト半体(１５)は、前記粘着面(１０)と協働するよう構成された少なくとも一つの面を具備してなることを特徴とする請求項２２に記載の利用法。
【請求項２４】
前記第１のベルト半体(１４)の前記自由端部(２６)は、前記第２のベルト半体(１５)に対して張り付くよう意図された少なくとも一つの面ファスナー(１２)を具備してなることを特徴とする請求項１５ないし請求項２１のいずれか１項に記載の利用法。
【請求項２５】
前記第２のベルト半体(１５)の前記自由端部(２６)は、前記面ファスナー(１２)と協働するよう構成された少なくとも一つの面を具備してなることを特徴とする請求項２４に記載の利用法。
【請求項２６】
前記ベルト(９)は、前記アンダーレイ(１)が前記使用者に取り付けられたとき、前記アンダーレイ(１)の前記横方向縁部のいずれかに関連付けて配置されていることを特徴とする請求項２ないし請求項２５のいずれか１項に記載の利用法。
【請求項２７】
前記ベルト(９)は、前記アンダーレイ(１)が前記使用者に取り付けられたとき、前記アンダーレイ(１)の長さ方向における実質的中央に配置されていることを特徴とする請求項２ないし請求項２５のいずれか１項に記載の利用法。
【請求項２８】
前記アンダーレイ(１)は、マットレスの少なくとも一部を保護するためのものであることを特徴とする請求項１ないし請求項２７のいずれか１項に記載の利用法。
【請求項２９】
前記アンダーレイ(１)は、幼児用おむつを交換する際に、交換テーブルを保護するためのものであることを特徴とする請求項１ないし請求項２７のいずれか１項に記載の利用法。
【請求項３０】
前記アンダーレイ(１)は、たとえば車椅子の椅子シートを保護するためのものであることを特徴とする請求項１ないし請求項２７のいずれか１項に記載の利用法。
【請求項３１】
前記アンダーレイ(１)は成人使用者用のものであり、前記ベルト(９)は、２〜１５ｃｍの、好ましくは４〜１０ｃｍの、さらに好ましくは５〜８ｃｍの幅を有することを特徴とする請求項２ないし請求項５、請求項７、請求項８、請求項１０ないし請求項１５、請求項１８、請求項２８および請求項３０のいずれか１項に記載の利用法。
【請求項３２】
前記アンダーレイ(１)は幼児用アンダーレイ(１)として用いられるものであり、前記ベルト(９)は、２〜１５ｃｍの、好ましくは３〜１０ｃｍの、さらに好ましくは５〜６ｃｍの幅を有することを特徴とする請求項２ないし請求項４、請求項６、請求項７、請求項９ないし請求項１５、請求項１７ないし請求項３０のいずれか１項に記載の利用法。
【請求項３３】
前記使用者に対して前記アンダーレイ(１)を取り付けるための前記手段は、互いに距離をおいて配置された少なくとも二つの受け面(１３)を具備してなり、一方の受け面(１３)は幅狭ベルトの一端領域に取り外し可能に取り付けられるようになっており、かつ他の前記受け面(１３)は前記ベルトの対向する端部領域に取り外し可能に取り付けられるようになっていることを特徴とする請求項１に記載の利用法。
【請求項３４】
前記受け面(１３)は、前記アンダーレイ(１)の長手方向対称軸線(１１)を中心として対称的に配置されていることを特徴とする請求項３３に記載の利用法。
【請求項３５】
前記使用者に対して前記アンダーレイ(１)を取り付けるための前記手段は受け面(１３)を具備してなり、前記受け面(１３)は、幅狭ベルトの中央部に対して、取り外し可能に取り付けられるようになっていることを特徴とする請求項１に記載の利用法。
【請求項３６】
前記使用者に対して前記アンダーレイ(１)を取り付けるための前記手段は、実質的に前記アンダーレイ(１)の長手方向対称軸線(１１)上に配置され受け面(１３)を具備してなり、前記受け面(１３)は、幅狭ベルトの中央部に対して、取り外し可能に取り付けられるようになっていることを特徴とする請求項３５に記載の利用法。
【請求項３７】
前記受け面(１３)は、粘着面に対して、取り外し可能に取り付けられるようになっていることを特徴とする請求項３３ないし請求項３５のいずれか１項に記載の利用法。
【請求項３８】
前記受け面(１３)は、面ファスナーの表面に対して、取り外し可能に取り付けられるようになっていることを特徴とする請求項３３ないし請求項３５のいずれか１項に記載の利用法。
【国際調査報告】
2009519094.tif 000013
2009519094.tif 000014
2009519094.tif 000015
2009519094.tif 000016